【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
所定間隔を設けて積層した複数の伝熱板間に形成される通風路の一段おきに一次気流と二次気流を流通させて熱交換する熱交換器において、伝熱板の一部に凸部または凹部のどちらか一方あるいは凹凸部を形成し、前記伝熱板に形成された凸部、凹部または凹凸部において、前記伝熱板の一次気流側に形成された凸部は二次気流側に凹部を形成し、前記伝熱板の二次気流側に形成された凸部は一次気流側に凹部を形成し、前記伝熱板に形成された凸部の頂上と、前記伝熱板と隣り合う伝熱板に形成された前記凸部と同一気流側の凸部の頂上とを、前記伝熱板の積層方向においてずらし、伝熱板に形成された凸部の頂上と、前記伝熱板と隣り合う伝熱板に形成された前記凸部と同一気流側の凹部の底部とを、前記伝熱板の積層方向においてずらし、前記凹凸部は、ひとつの凸部とひとつの凹部が一体となっており、気流の上流側に前記凸部を配置し、前記凸部の頂上より上流側の傾斜が前記凸部の頂上より下流側の傾斜よりも緩やかにしたことを特徴とし熱交換器。
【請求項２】
凸部の頂上より上流側の傾斜は１０°以上３０°以下とし、前記凸部の頂上より下流側の傾斜は６０°以上８０°以下としたことを特徴とした請求項１記載の熱交換器。
【請求項３】
凹部の底部より下流側の傾斜が前記凹部の底部より上流側の傾斜よりも緩やかにしたことを特徴とした請求項１または２記載の熱交換器。
【請求項４】
凹部の底部より上流側の傾斜は６０°以上８０°以下とし、前記凹部の底部より下流側の傾斜は１０°以上３０°以下としたことを特徴とした請求項３記載の熱交換器。
【請求項５】
一段の通風路内を複数の流路に分割する通風路分割部を有した熱交換素子の前記流路内部において、凸部及び凹部は隣り合う通風路分割部間で連続としたことを特徴とした請求項１乃至４のいずれかに記載の熱交換器。
【請求項６】
一次気流と二次気流とが伝熱板を隔てて斜めに交差する斜交流部分を有する熱交換器において、前記斜交流部分に凸部または凹部のどちらか一方あるいは凹凸部を形成したことを特徴とした請求項１乃至５のいずれかに記載の熱交換器。
【請求項７】
斜交流部分に配置した凹凸部は、凸部の頂上及び凹部の底部と一次気流との交差角度が、前記凸部の頂上及び前記凹部の底部と二次気流との交差角度と同角度となるように配置したことを特徴とした請求項６記載の熱交換器。
【請求項８】
一次気流と二次気流とが伝熱板を隔てて対向する対向流部分を有した熱交換器において、前記対向流部分に凸部または凹部のどちらか一方あるいは凹凸部を形成したことを特徴とした請求項１乃至７のいずれかに記載の熱交換器。
【請求項９】
対向流部分に配置した凹凸部は、伝熱板の上下に流通する一次気流と二次気流に対して凸部の頂上及び凹部の底部が直交するように配置したことを特徴とした請求項８記載の熱交換器。
【請求項１０】
一段の通風路内が通風路分割部により複数の流路に分割されており、前記流路が曲がり部分を有している熱交換器において、前記曲がり部分に凹凸部を有し、凸部と凹部の高さを曲がり部分の内側から外側に向けて低くしたことを特徴とした請求項１乃至９のいずれかに記載の熱交換器。
【請求項１１】
一段の通風路内が通風路分割部により複数の流路に分割されており、前記流路が直線流路部分と曲がり部分を有している熱交換器において、前記曲がり部分に凹凸部を有し、前記曲がり部分の上流に位置する前記直線流路部分に対して平行となる線と前記曲がり部分に配置した凸部の頂上との交差部分の鋭角角度は、前記平行となる線と前記曲がり部分に配置した前記凸部の下流に位置する凹部の底部との交差部分の鋭角角度よりも大きくしたことを特徴とした請求項１乃至１０のいずれかに記載の熱交換器。
【請求項１２】
一段の通風路内が通風路分割部により複数の流路に分割されており、前記流路が曲がり部分を有している熱交換器において、前記曲がり部分に凹凸部を有し、凸部と凹部の傾斜を曲がり部分の内側から外側に向けて緩やかにしたことを特徴とした請求項１乃至１１のいずれかに記載の熱交換器。
【請求項１３】
一段の通風路内が通風路分割部により複数の流路に分割されており、分割された前記流路同士の長さが異なる熱交換器において、伝熱板に設けられた凸部と凹部の高さを流路長の短い流路よりも流路長の長い流路のほうを低くしたこと特徴とした請求項１乃至１２のいずれかに記載の熱交換器。
【請求項１４】
凹凸部における凸部の頂上と凹部の底部は、凸部及び凹部の縦断面形状において円弧としたことを特徴とした請求項１乃至１３のいずれかに記載の熱交換器。
【請求項１５】
流路の上下に位置する伝熱板に形成した凹凸部において、流路の一方に位置する伝熱板上に形成した前記凹凸部は、前記伝熱板の積層方向において、他方の伝熱板上に形成した凹凸部の気流の流れ方向に隣り合う凹凸部の中央近傍に配置したことを特徴とした請求項１乃至１４のいずれかに記載の熱交換器。
【手続補正２】
【補正対象書類名】明細書
【補正対象項目名】００２０
【補正方法】変更
【補正の内容】
【００２０】
本発明の熱交換素子は上記目的を達成するために、所定間隔を設けて積層した複数の伝熱板間に形成される通風路の一段おきに一次気流と二次気流を流通させて熱交換する熱交換器において、伝熱板の一部に凸部または凹部のどちらか一方あるいは凹凸部を形成し、前記伝熱板に形成された凸部、凹部または凹凸部において、前記伝熱板の一次気流側に形成された凸部は二次気流側に凹部を形成し、前記伝熱板の二次気流側に形成された凸部は一次気流側に凹部を形成し、前記伝熱板に形成された凸部の頂上と、前記伝熱板と隣り合う伝熱板に形成された前記凸部と同一気流側の凸部の頂上とを、前記伝熱板の積層方向においてずらし、伝熱板に形成された凸部の頂上と、前記伝熱板と隣り合う伝熱板に形成された前記凸部と同一気流側の凹部の底部とを、前記伝熱板の積層方向においてずらし、前記凹凸部は、ひとつの凸部とひとつの凹部が一体となっており、気流の上流側に前記凸部を配置し、前記凸部の頂上より上流側の傾斜が前記凸部の頂上より下流側の傾斜よりも緩やかにしたものである。
【手続補正３】
【補正対象書類名】明細書
【補正対象項目名】００２１
【補正方法】変更
【補正の内容】
【００２１】
この手段により、通気抵抗の大幅な増加を招かずに熱交換効率を向上することができる熱交換器が得られる。またこの手段により、通気抵抗の大幅な増加を招かずに熱交換効率を向上することができる熱交換器が得られる。またこの手段により、通気抵抗の大幅な増加を招かずに熱交換効率を向上することができる熱交換器が得られる。またこの手段により、通気抵抗の大幅な増加を招かずに熱交換効率を向上することができる熱交換器が得られる。またこの手段により、通気抵抗の大幅な増加を招かずに熱交換効率を向上することができる熱交換器が得られる。またこの手段により、通気抵抗の大幅な増加を招かずに熱交換効率を向上することができる熱交換器が得られる。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００６１
【補正方法】変更
【補正の内容】
【００６１】
本発明の請求項１記載の発明は、所定間隔を設けて積層した複数の伝熱板間に形成される通風路の一段おきに一次気流と二次気流を流通させて熱交換する熱交換器において、伝熱板の一部に凸部または凹部のどちらか一方あるいは凹凸部を形成し、前記伝熱板に形成された凸部、凹部または凹凸部において、前記伝熱板の一次気流側に形成された凸部は二次気流側に凹部を形成し、前記伝熱板の二次気流側に形成された凸部は一次気流側に凹部を形成し、前記伝熱板に形成された凸部の頂上と、前記伝熱板と隣り合う伝熱板に形成された前記凸部と同一気流側の凸部の頂上とを、前記伝熱板の積層方向においてずらし、伝熱板に形成された凸部の頂上と、前記伝熱板と隣り合う伝熱板に形成された前記凸部と同一気流側の凹部の底部とを、前記伝熱板の積層方向においてずらし、前記凹凸部は、ひとつの凸部とひとつの凹部が一体となっており、気流の上流側に前記凸部を配置し、前記凸部の頂上より上流側の傾斜が前記凸部の頂上より下流側の傾斜よりも緩やかにしたものであり、伝熱板の一部に設けられた凸部または凹部のどちらか一方あるいは凹凸部によって、通風路内の気流の方向に乱れが生じ、通風路の急拡大部分では気流の渦が発生するため、伝熱板近傍に形成される温度境界層を乱し、気流間の伝熱を促進することができるとともに、伝熱板の一部に凸部または凹部の一方あるいは凹凸部を通気抵抗の増加を低減させるように配置することができ、通気抵抗の大幅な増加を招かずに熱交換効率を向上することができる。また、凸部、凹部または凹凸部を形成する際に部材を用いずに伝熱板自体が凸部または凹部を形成することで、なんらかの部材を用いて凸部または凹部を形成した場合に比べ通気抵抗を低減することができ、また、凸部または凹部を有していない伝熱板に対して有効伝熱面積を増加することができ、また、伝熱板の一次気流側に形成された凸部は二次気流側に凹部を形成するため、一つの構造が両気流に有効な形状を作り出すことができる。この、伝熱板に設けられた凸部または凹部によって、通風路内の気流の方向に乱れが生じ、通風路の急拡大部分では気流の渦が発生するため、伝熱板近傍に形成される温度境界層を乱し、気流間の伝熱を促進することができるとともに、凸部または凹部を通気抵抗の増加を低減させるように配置することができ、通気抵抗の大幅な増加を招かずに熱交換効率を向上することができる。また、上下の伝熱板に形成された同一気流側の凸部が積層方向に一致していると、通風路が極端に狭くなることによって通気抵抗の大きな増加を招くため、凸部を高くすることができず、温度境界層の乱れを効果的に形成することはできないが、上下の伝熱板に形成された同一気流側の凸部が積層方向に一致していないことにより、上下の伝熱板に形成された同一気流側の凸部が積層方向に一致している場合に比べ通気抵抗の大きな増加を招かずに凸部を高くすることができるため温度境界層の乱れを効果的に形成することができるため、通気抵抗の大幅な増加を招かずに熱交換効率を向上することができる。また、上下の伝熱板に形成された同一気流側の凸部と凹部が積層方向に一致していると、通風路の急拡大急縮小が形成し難く、気流の乱れがほとんど生じないため、温度境界層の乱れを効果的に形成することができないが、上下の伝熱板に形成された同一気流側の凸部と凹部が積層方向においてずらしたことにより、通風路の急拡大急縮小が形成され、気流に乱れを生じ温度境界層の乱れを効果的に形成することができ、通気抵抗の大幅な増加を招かずに熱交換効率を向上することができる。また、ひとつの凸部とひとつの凹部が一体となっていない場合に比べ、通風路が拡大する際の拡大率を大きく取ることができるため効率的に気流の渦を発生させることができ、また凸部と凹部の高さを低くすることができるため、通気抵抗の大幅な増加を招かずに熱交換効率を向上することができる。また、凸部の頂上より上流側の傾斜を緩やかにすることにより、気流が凸部に突入する際の気流の剥離を抑制することができるとともに、凸部の下流側の傾斜を上流側の傾斜よりも急にすることにより、通風路の急拡大による渦を効率的に生じさせることができ、効率的に温度境界層に乱れを形成することができるため、通気抵抗の大幅な増加を招かずに熱交換効率を向上することができる。
【手続補正１５】
【補正対象書類名】明細書
【補正対象項目名】００６２
【補正方法】削除
【補正の内容】
【手続補正１６】
【補正対象書類名】明細書
【補正対象項目名】００６３
【補正方法】削除
【補正の内容】
【手続補正１７】
【補正対象書類名】明細書
【補正対象項目名】００６４
【補正方法】削除
【補正の内容】
【手続補正１８】
【補正対象書類名】明細書
【補正対象項目名】００６５
【補正方法】削除
【補正の内容】
【手続補正１９】
【補正対象書類名】明細書
【補正対象項目名】００６６
【補正方法】削除
【補正の内容】
【手続補正２０】
【補正対象書類名】明細書
【補正対象項目名】００６７
【補正方法】変更
【補正の内容】
【００６７】
また、本発明の請求項２記載の発明は、凸部の頂上より上流側の傾斜は１０°以上３０°以下とし、前記凸部の頂上より下流側の傾斜は６０°以上８０°以下としたものであり、凸部の頂上より上流側の傾斜を１０°以上３０°以下にすることにより、気流が凸部に突入する際の気流の剥離を抑制することができ、凸部の下流側の傾斜を６０°以上８０°以下にすることにより、通風路の急拡大による渦を効率的に生じさせることができ、効率的に温度境界層に乱れを形成することができるため、通気抵抗の大幅な増加を招かずに熱交換効率を向上することができる。
【手続補正２１】
【補正対象書類名】明細書
【補正対象項目名】００６８
【補正方法】変更
【補正の内容】
【００６８】
また、本発明の請求項３記載の発明は、凹部の底部より下流側の傾斜が前記凹部の底部より上流側の傾斜よりも緩やかにしたものであり、凹部の底部より下流側の傾斜が凹部の底部より上流側の傾斜よりも緩やかにすることにより、通風路の急拡大による渦を生じさせることができ、効率的に温度境界層に乱れを形成することができるため、通気抵抗の大幅な増加を招かずに熱交換効率を向上することができる。
【手続補正２２】
【補正対象書類名】明細書
【補正対象項目名】００６９
【補正方法】変更
【補正の内容】
【００６９】
また、本発明の請求項４記載の発明は、凹部の底部より上流側の傾斜は６０°以上８０°以下とし、前記凹部の底部より下流側の傾斜は１０°以上３０°以下としたものであり、凹部の底部より上流側の傾斜を６０°以上８０°以下にすることにより、通風路の急拡大による渦が効率的に生じさせることができ、凹部の底部の下流側の傾斜を１０°以上３０°以下にすることにより、凹部の下流側の気流に剥離を起こすことなく通風路内に渦を生じさせることができ、効率的に温度境界層に乱れを形成することができるため、通気抵抗の大幅な増加を招かずに熱交換効率を向上することができる。
【手続補正２３】
【補正対象書類名】明細書
【補正対象項目名】００７０
【補正方法】変更
【補正の内容】
【００７０】
また、本発明の請求項５記載の発明は、一段の通風路内を複数の流路に分割する通風路分割部を有した熱交換素子の前記流路内部において、凸部及び凹部は隣り合う通風路分割部間で連続としたものであり、流路内部において、凸部及び凹部は隣り合う通風路分割部間で連続であるため、流路内の気流が通風路分割部方向への偏流を生じ難く、熱交換効率にほとんど関与しない偏流による通気抵抗の増加を生じさせないため、通気抵抗の大幅な増加を招かずに熱交換効率を向上することができる。
【手続補正２４】
【補正対象書類名】明細書
【補正対象項目名】００７１
【補正方法】変更
【補正の内容】
【００７１】
また、本発明の請求項６記載の発明は、一次気流と二次気流とが伝熱板を隔てて斜めに交差する斜交流部分を有する熱交換器において、前記斜交流部分に凸部または凹部のどちらか一方あるいは凹凸部を形成したものであり、斜交流部分は、一次気流と二次気流とが伝熱板を隔てて斜交している部分であり、斜交流部分に凹凸部を有しているため、凹凸部によって生じる渦によって温度境界層に乱れを形成することができるため、熱交換効率の向上をすることができる。
【手続補正２５】
【補正対象書類名】明細書
【補正対象項目名】００７２
【補正方法】変更
【補正の内容】
【００７２】
また、本発明の請求項７記載の発明は、斜交流部分に配置した凹凸部は、凸部の頂上及び凹部の底部と一次気流との交差角度が、前記凸部の頂上及び前記凹部の底部と二次気流との交差角度と同角度となるように配置したものであり、伝熱板の上下に流通する一次気流と二次気流に対して凸部の頂上及び凹部の底部の交差角度が同角度となるように配置したため、一次気流と二次気流両方に対して凹凸部による渦を生じさせることができ、熱交換効率の向上をすることができる。
【手続補正２６】
【補正対象書類名】明細書
【補正対象項目名】００７３
【補正方法】変更
【補正の内容】
【００７３】
また、本発明の請求項８記載の発明は、一次気流と二次気流とが伝熱板を隔てて対向する対向流部分を有した熱交換器において、前記対向流部分に凸部または凹部のどちらか一方あるいは凹凸部を形成したものであり、対向流部分は、一次気流と二次気流とが伝熱板を隔てて対向している部分であり、対向流部分に凹凸部を有しているため、一次気流と二次気流両方に対して同様の効果をもたらすことができ、効率的に熱交換効率の向上をすることができる。
【手続補正２７】
【補正対象書類名】明細書
【補正対象項目名】００７４
【補正方法】変更
【補正の内容】
【００７４】
また、本発明の請求項９記載の発明は、対向流部分に配置した凹凸部は、伝熱板の上下に流通する一次気流と二次気流に対して凸部の頂上及び凹部の底部が直交するように配置したものであり、伝熱板の上下に流通する一次気流と二次気流に対して凸部の頂上及び凹部の底部が直交するように配置したため、一次気流と二次気流両方に均一に渦を生じさせることができるため、効率的に温度境界層に乱れを形成することができ、通気抵抗の大幅な増加を招かずに熱交換効率の向上をすることができる。
【手続補正２８】
【補正対象書類名】明細書
【補正対象項目名】００７５
【補正方法】変更
【補正の内容】
【００７５】
また、本発明の請求項１０記載の発明は、一段の通風路内が通風路分割部により複数の流路に分割されており、前記流路が曲がり部分を有している熱交換器において、前記曲がり部分に凹凸部を有し、凸部と凹部の高さを曲がり部分の内側から外側に向けて低くしたものであり、熱交換器は、熱交換効率を向上するために対向流部分を設ける場合、または風路構成の関係上ねじれの位置に風路の流入口と流出口を設ける場合があり、そのためには流路分割部によって複数に分割された流路は曲がり部分を有することとなるが、一つの流路内部での気流の分布は、一般的に曲がり部分の内側では風量が増加し、曲がり部分の外側の風量が減少するため、伝熱板を有効に活用できずに熱交換効率の低下を招く、しかしながら、凸部と凹部の高さを曲がりの内側から外側に向けて連続的に低くすることにより、曲がりの内側と外側の圧力損失の差が、凹凸部を有しない場合よりも軽減され、偏流の抑制効果を得ることができるため伝熱板を有効に活用することができ熱交換効率を向上することができるとともに、凹凸部によって生じる渦によって温度境界層が乱れ熱交換効率を向上することができるため、凸部と凹部の高さを曲がり部分の内側から外側に向けて低くしていない場合に比べて、通気抵抗の大幅な増加を招かずに熱交換効率の向上をすることができる。
【手続補正２９】
【補正対象書類名】明細書
【補正対象項目名】００７６
【補正方法】変更
【補正の内容】
【００７６】
また、本発明の請求項１１記載の発明は一段の通風路内が通風路分割部により複数の流路に分割されており、前記流路が直線流路部分と曲がり部分を有している熱交換器において、前記曲がり部分に凹凸部を有し、前記曲がり部分の上流に位置する前記直線流路部分に対して平行となる線と前記曲がり部分に配置した凸部の頂上との交差部分の鋭角角度は、前記平行となる線と前記曲がり部分に配置した前記凸部の下流に位置する凹部の底部との交差部分の鋭角角度よりも大きくしたものであり、直線流路部分に対して平行となる線と曲がり部分に配置した凸部の頂上との交差部分の鋭角角度が、直線流路部分に対して平行となる線と凸部の下流に位置する凹部の底部との交差部分の鋭角角度よりも大きくしたことにより、曲がり部分の形状に沿って凹凸部を設けることができ、気流の曲がりに沿って凹凸部を配置できるため、気流に均一に渦を生じさせることができ、温度境界層を乱し熱交換効率を向上することができる。
【手続補正３０】
【補正対象書類名】明細書
【補正対象項目名】００７７
【補正方法】変更
【補正の内容】
【００７７】
また、本発明の請求項１２記載の発明は、一段の通風路内が通風路分割部により複数の流路に分割されており、前記流路が曲がり部分を有している熱交換器において、前記曲がり部分に凹凸部を有し、凸部と凹部の傾斜を曲がり部分の内側から外側に向けて緩やかにしたものであり、凸部と凹部の傾斜を曲がり部分の内側から外側に向けて緩やかにすることで、曲がり部の内側の凹凸部の幅は曲がり部分の外側の凹凸部の幅よりも小さくなり、曲がり部分の内側から外側に向けて扇上の形状を成すことができ、気流の曲がりに沿って凹凸部を配置できるため、気流に均一に渦を生じさせることができ、温度境界層を乱し熱交換効率を向上することができる。
【手続補正３１】
【補正対象書類名】明細書
【補正対象項目名】００７８
【補正方法】変更
【補正の内容】
【００７８】
また、本発明の請求項１３記載の発明は、一段の通風路内が通風路分割部により複数の流路に分割されており、分割された前記流路同士の長さが異なる熱交換器において、伝熱板に設けられた凸部と凹部の高さを流路長の短い流路よりも流路長の長い流路のほうを低くしたものであり、一段の通風路内の通風路分割部によって分割された流路長の異なる流路において、一般的に流路長の長い流路は流路長の短い流路よりも通気抵抗が大きくなるが、伝熱板に設けられた凸部と凹部の高さを流路長の短い流路よりも流路長の長い流路のほうが低くしたことにより、凹凸部を有していない場合に比べ流路間での通気抵抗の差は小さくなり、流路長の違いにより生じる、通風路内の偏流を低減することができるため、伝熱板を有効に活用することができ、熱交換効率を向上することができ、また、伝熱板に設けられた凸部と凹部の高さを流路長の短い流路よりも流路長の長い流路のほうが低くしていない場合に比べて、通気抵抗の大幅な増加を招かずに熱交換効率を向上することができる。
【手続補正３２】
【補正対象書類名】明細書
【補正対象項目名】００７９
【補正方法】変更
【補正の内容】
【００７９】
また、本発明の請求項１４記載の発明は、凹凸部における凸部の頂上と凹部の底部は、凸部及び凹部の縦断面形状において円弧としたものであり、凸部の頂上及び凹部の底部を、凸部及び凹部の縦断面形状において円弧とすることで、角とした場合に比べ渦を形成する風量は増加し、温度境界層を乱すことができるため、効率よく熱交換効率を向上することができる。
【手続補正３３】
【補正対象書類名】明細書
【補正対象項目名】００８０
【補正方法】変更
【補正の内容】
【００８０】
また、本発明の請求項１５記載の発明は、流路の上下に位置する伝熱板に形成した凹凸部において、流路の一方に位置する伝熱板上に形成した前記凹凸部は、前記伝熱板の積層方向において、他方の伝熱板上に形成した凹凸部の気流の流れ方向に隣り合う凹凸部の中央近傍に配置したものであり、気流の上下に位置する伝熱板に交互に凹凸部が形成されているため、気流の主流は、上下の伝熱板に交互に近づくように波形の軌道をとるため、主流自体の大きな通気抵抗の増加はなく、また、主流は上下の伝熱板に交互に近づくため主流が伝熱板に近づいた付近の温度境界層は薄くなり熱交換効率を向上でき、また、伝熱板上に配置された凹凸部によって気流に渦を生じさせることができ、温度境界層を乱し熱交換効率を向上することができる。
【手続補正３４】
【補正対象書類名】明細書
【補正対象項目名】０１２４
【補正方法】変更
【補正の内容】
【０１２４】
【図１】実施の形態１の熱交換器の概略斜視図
【図２】（ａ）同熱交換成形シートの概略斜視図、（ｂ）同熱交換成形シートの概略斜視図
【図３】同ａ−ａ断面の熱交換器の概略要部断面図
【図４】同熱交換器をＸ方向から見た曲がり部分の概略拡大図
【図５】（ａ）凸部下流側傾斜及び凹部上流側傾斜と熱交換効率の関係を表したグラフ、（ｂ）凸部上流側傾斜及び凹部下流側傾斜と熱交換効率の関係を表したグラフ
【図６】実施の形態２の熱交換器の概略斜視図
【図７】従来の熱交換器１０１を示す概略斜視図
【図８】従来の熱交換器１０５を示す概略斜視図
【図９】従来の熱交換器１０５の概略分解斜視図
【図１０】従来の熱交換器１０５のｘ−ｘ断面の概略要部断面図
【図１１】従来の熱交換器１０５のｘ−ｘ断面の概略要部断面図
【図１２】従来の熱交換器１０５のｘ−ｘ断面の概略要部断面図
【図１３】従来の熱交換器１０５の概略分解斜視図
【図１４】従来の熱交換器１０５のｘ−ｘ断面の概略要部断面図